(57)【要約】【課題】凹凸屋根材の凹部を流れる雨水が屋外側に大きく飛び出し難い屋根構造を提供することを課題とする。【解決手段】屋根下地上に設けられた凹凸屋根材３を備える。凹凸屋根材３が、下方に開口し上方に突出する凸部３０と上方に開口し下方に凹む凹部３１を軒に沿う方向に交互に有する。凹凸屋根材３の軒側に設けられた面戸２が、凸部３０の軒側開口に対向して同開口を覆う覆い部２２を有する。覆い部２２の側端部を凸部３０の側面部から凹部３１側に向けて突出する堰止部２２０とする。【選択図】図１
2014080728.tif 000002
【特許請求の範囲】
【請求項１】
屋根下地上に設けられた凹凸屋根材を備え、この凹凸屋根材が、下方に開口し上方に突出する凸部と上方に開口し下方に凹む凹部を軒に沿う方向に交互に有し、前記凹凸屋根材の軒側に面戸が設けられた屋根構造であって、前記面戸が前記凸部の軒側開口に対向して同開口を覆う覆い部を有し、この覆い部の側端部を前記凸部の側面部から凹部側に向けて突出する堰止部としたことを特徴とする屋根構造。
【請求項２】
前記面戸の覆い部が前記凹凸屋根材の隣り合う前記凸部の夫々に対応する位置に設けられ、これら覆い部の前記隣り合う凸部の間に位置する凹部側の側端部を前記堰止部としたことを特徴とする請求項１に記載の屋根構造。
【請求項３】
軒に沿う方向に複数並べて設けられた前記面戸を備え、前記各面戸が、前記屋根下地と前記凹凸屋根材の凹部の底面部の間に挟まれた板状部と、この板状部に立設された前記覆い部を有し、前記複数の面戸の板状部が軒に沿う方向に並べて配置され、前記凹凸屋根材が前記凹部の底面部を前記凸部よりも屋外側に延出した延出部を有し、この延出部によって隣り合う前記板状部の間が上側から覆われたことを特徴とする請求項１又は請求項２に記載の屋根構造。
【発明の詳細な説明】
【技術分野】
【０００１】
本発明は凹凸屋根材の軒側に面戸が設けられる屋根構造に関する。
【背景技術】
【０００２】
特許文献１には折板屋根の端部に面戸が固定された屋根構造が開示されている。
【先行技術文献】
【特許文献】
【０００３】
【特許文献１】特開２０１０−３７８５４号公報
【発明の概要】
【発明が解決しようとする課題】
【０００４】
ところで、凸部と凹部を軒に沿う方向に交互に有する凹凸屋根材にあっては、凹部を流れる雨水が屋外側に大きく飛び出す可能性がある。そして、このように雨水が屋外側に大きく飛び出すと、軒から離れた箇所に雨水がかかる恐れがある。また、軒樋で受けきれずに軒下に居る人に雨水がかかる可能性もある。
【０００５】
本発明は上記事情に鑑みてなされたものであって、凹凸屋根材の凹部を流れる雨水が屋外側に大きく飛び出し難い屋根構造を提供することを課題とする。
【課題を解決するための手段】
【０００６】
上記課題を解決するために本発明の屋根構造は、屋根下地上に設けられた凹凸屋根材を備え、この凹凸屋根材が、下方に開口し上方に突出する凸部と上方に開口し下方に凹む凹部を軒に沿う方向に交互に有し、前記凹凸屋根材の軒側に面戸が設けられた屋根構造であって、前記面戸が前記凸部の軒側開口に対向して同開口を覆う覆い部を有し、この覆い部の側端部を前記凸部の側面部から凹部側に向けて突出する堰止部としたことを特徴とする。
【０００７】
また、前記面戸の覆い部が前記凹凸屋根材の隣り合う前記凸部の夫々に対応する位置に設けられ、これら覆い部の前記隣り合う凸部の間に位置する凹部側の側端部の各々を前記堰止部とすることが好ましい。
【０００８】
また、軒に沿う方向に複数並べて設けられた前記面戸を備え、前記各面戸が、前記屋根下地と前記凹凸屋根材の凹部の底面部の間に挟まれた板状部と、この板状部に立設された前記覆い部を有し、前記複数の面戸の板状部が軒に沿う方向に並べて配置され、前記凹凸屋根材が前記凹部の底面部を前記凸部よりも屋外側に延出した延出部を有し、この延出部によって隣り合う前記板状部の間が上側から覆われることが好ましい。
【発明の効果】
【０００９】
本発明にあっては、凹部の側面部に沿って軒側に流れる雨水を堰止部によって堰き止め、この後、屋外側に流れるようにすることができる。このため、凹凸屋根材の凹部を流れる雨水が屋外側に飛び出し難くなる。
【図面の簡単な説明】
【００１０】
【図１】本発明の第一実施形態の屋根構造の軒側を示す斜視図である。
【図２】同上の屋根構造の斜視図である。
【図３】同上の屋根構造の軒側を示す断面図である。
【図４】同上の面戸と凹凸屋根材を示す斜視図である。
【図５】第二実施形態の屋根構造を示し、他の凹凸屋根材や野地板の図示を省略した斜視図である。
【図６】同上の施工前の面戸と凹凸屋根材を示す斜視図である。
【図７】同上の施工前の凹凸屋根材を面戸上に載せた状態を示す斜視図である。
【発明を実施するための形態】
【００１１】
以下、本発明を添付図面に基づいて説明する。
【００１２】
（第一実施形態）
本実施形態の屋根構造は図２に示されるように片流れ屋根を有する建物１に適用したものである。以下では、傾斜した屋根面に沿って軒と棟を結ぶ矢印Ｄ１に示す方向を軒棟方向とし、軒に沿う矢印Ｄ２に示す方向を軒方向として説明する。
【００１３】
建物１軒側の外壁の上端部には、図３に示されるように屋外側（棟と反対側）に向かって突出する軒部１０が形成されている。軒部１０の屋外側端部は下方程屋内側に位置するように傾斜した鼻隠し１１（鼻板）で構成されている。
【００１４】
建物１の屋根下地は垂木等の構造躯体上に設けられた野地板１２で構成されている。野地板１２は棟側から軒側に向かって一様な角度で下り傾斜しており、屋根勾配と平行である。野地板１２の軒側端部は鼻隠し１１よりも屋外側に突出している。
【００１５】
野地板１２の軒側端部には軒方向に長い水切り５が設けられている。水切り５は鋼板製である。なお、水切り５は鋼板以外の金属板で形成してもよく、また、その材質は金属に限定されるものではない。
【００１６】
水切り５は、板状の載置部５０と、載置部５０の屋外側縁部から垂れ下がる片状の垂下部５１を有している。垂下部５１の上縁部から棟側に向かって突出した載置部５０は、野地板１２に載置されている。垂下部５１は野地板１２の屋外側に配置され、野地板１２の軒側端部よりも下方に突出している。垂下部５１は野地板１２の軒側端面を覆い、その屋外側の面に付着した雨水が垂下部５１の下縁から流れ落ちるようになっている。
【００１７】
野地板１２の軒側端部には軒方向に長い面戸２が軒方向に並べて設けられている。面戸２は鋼板製である。なお、面戸２は鋼板以外の金属板で形成してもよい。また、面戸２の材質は金属に限定されるものではない。
【００１８】
図４に示されるように面戸２は、板状部２０、複数の覆い部２２、及び各覆い部２２に設けられた押さえ部２３を有している。板状部２０は軒方向に長い略矩形状に形成されている。板状部２０の屋外側部分には板状部２０の長手方向に所定の間隔を介して複数の開口２０１が並べて形成されている。各開口２０１は板状部２０の厚み方向に貫通し、軒方向に長い矩形状に形成されている。各開口２０１は板状部２０の屋外側縁よりも棟側に控えた位置に形成されており、板状部２０の屋外側端部は開口２０１より屋外側に突出した突出部２０３となっている。
【００１９】
突出部２０３の屋外側部分は水切部２０４となっている。この水切部２０４は板状部２０の軒方向に亘っている。突出部２０３の突出基部から屋外側に向けて突出した水切部２０４は、板状部２０における水切部２０４よりも棟側の部分に対して傾斜しており、図３に示されるように面戸２を施工したときに屋根勾配よりも急な傾斜で屋外側に向かって下り傾斜する。また、板状部２０は、各開口２０１よりも棟側に突出した部分が、野地板１２に対して固定される固定部２００となっている。
【００２０】
図４に示されるように板状部２０の各開口２０１の屋外側縁部には立上片部２０２が立ち上げられている。各立上片部２０２は覆い部２２よりも背が低く、図３に示されるように面戸２を施工したとき、凹凸屋根材３の凸部３０の天面部との間には隙間１５が形成されるようになっている。
【００２１】
図４に示されるように覆い部２２は各開口２０１の屋外側縁部に立設されている。各覆い部２２は板状部２０に対して直角に交わる板状に形成されている。各覆い部２２は略矩形状に形成されている。詳しくは、各覆い部２２は上底よりも下底が大きい等脚台形状に形成されている。押さえ部２３は覆い部２２の上縁部から棟側に向かって突出した片部で構成されている。押さえ部２３は板状部２０の水切部２０４を除く部分と略平行である。各覆い部２２、各押さえ部２３、各開口２０１、及び各立上片部２０２は、例えば板状部２０を構成する長尺な板材を部分的に切り起こすことで形成される。
【００２２】
図３に示されるように面戸２の固定部２００は水切り５の載置部５０を介して野地板１２に載置されている。ここで、複数の面戸２は板状部２０が軒方向に並べて配置されており、隣り合う面戸２の板状部２０はその端面同士が突き合わされて隣接している。各面戸２の固定部２００はビスや釘等の固着具による固着によって水切り５の載置部５０と共に野地板１２の軒側端部に固定されている。なお、水切り５の載置部５０や面戸２の固定部２００は接着剤による接着によって野地板１２に固定しても構わない。各面戸２の板状部２０の屋外側部分は野地板１２より屋外側に突出している。各面戸２の各開口２０１は軒棟方向において野地板１２よりも屋外側に配置されている。
【００２３】
野地板１２上には図２に示されるように凹凸屋根材３が軒方向に複数並べて載置されている。各凹凸屋根材３の軒側部分は、図３に示されるように面戸２の固定部２００及び水切り５の載置部５０を介して野地板１２に載置されている。すなわち、面戸２の固定部２００及び水切り５の載置部５０は、野地板１２と凹凸屋根材３の凹部３１の底面部の間に挟まれて固定されている。
【００２４】
各凹凸屋根材３は鋼板製である。なお、各凹凸屋根材３は鋼板以外の金属板で形成してもよく、また、その材質は金属に限定されるものではない。図４に示されるように各凹凸屋根材３は、下方に開口し上方に突出する凸部３０と上方に開口し下方に凹む凹部３１を有している。凸部３０と凹部３１は軒方向に交互に形成されている。各凸部３０の側面部は隣接する凹部３１の側面部を兼ねている。同側面部は凸部３０の天面部や凹部３１の底面部に対して略直交している。詳しくは、凸部３０の両側面部は下方程凸部３０の幅方向外側に位置するように僅かに傾斜している。各凸部３０の幅、及び各凹部３１の幅は、軒棟方向において一様である。
【００２５】
図示は省略するが、隣り合う凹凸屋根材３は野地板１２上に設けられた連結具を介して連結されている。連結具は例えばビスや釘等の固着具による固着によって野地板１２に固定される。これにより、各凹凸屋根材３は連結具を介して野地板１２に固定される。また、連結具にはカバー部材が取り付けられ、カバー部材によって隣り合う凹凸屋根材３の間の部分、及びここに配置された連結具が覆われている。
【００２６】
図３に示されるように、野地板１２とこの上に配置された各凹凸屋根材３の間には、通気空間１３が形成されている。通気空間１３は凸部３０と野地板１２とで囲まれた空間であって、軒方向に凹凸屋根材３の凸部３０と同数形成されている。各通気空間１３は凹凸屋根材３の軒棟方向における略全長に亘って形成されている。
【００２７】
各凹凸屋根材３の軒側端部は、軒棟方向において野地板１２の軒側縁よりも屋外側に突出している。面戸２の各開口２０１は対応する凸部３０の軒側端部の下方に位置している。面戸２の各開口２０１は対応する凸部３０内に形成された通気空間１３に連通している。これにより、通気空間１３には対応する面戸２の開口２０１を介して外気が導入されるようになっている。すなわち、面戸２の各開口２０１は通気空間１３に外気を導入する通気口として機能する。図示は省略するが、各凸部３０の棟側端部は開放されており、これにより各通気空間１３に導入された外気は棟側から排出されるようになっている。また、面戸２の板状部２０において凹凸屋根材３の各凹部３１に対応する部分には開口２０１は形成されておらず、同部は対応する凹部３１の底面部を下から支えている。
【００２８】
凹凸屋根材３の各凸部３０の軒側端部は、図３に示されるように対応する面戸２の押さえ部２３の下方に挿入されている。また、各凸部３０の内側には対応する面戸２の立上片部２０２が嵌め込まれている。凹凸屋根材３の各凸部３０の軒側端部を押さえ部２３の下方に挿入するには、例えば以下のように行われる。まず、先に野地板１２上に載置固定された面戸２の覆い部２３の棟側に凸部３０が位置するように凹凸屋根材３を野地板１２上に配置する。また、このとき凹凸屋根材３の各凸部３０の内側に対応する面戸２の立上片部２０２を嵌め込む。そして、この凹凸屋根材３を各立上片部２０２の両側に対応する凸部３０の両側面部を沿わせながら野地板１２に沿って軒側に移動する。
【００２９】
面戸２の各押さえ部２３は、図３に示されるように対応する凸部３０の上面の軒側端部に載置されている。このため、凹凸屋根材３が風等を要因として野地板１２から浮き上がろうとしたとき、この凹凸屋根材３の凸部３０の天面部の軒側端部が押さえ部２３によって押さえられるようになっている。
【００３０】
面戸２の各覆い部２２は対応する凸部３０の軒側端面に当接している。各覆い部２２は対応する凸部３０の軒側開口に対向し、同開口を覆う。このため、凸部３０内には雨水や小鳥、虫等が入り難くなっている。
【００３１】
面戸２の各覆い部２３の幅ｂ１（図４参照）は、覆い部２３の上下方向の全長に亘って対応する凸部３０の幅ｂ２（図４参照）よりも大きくなっている。これにより、各覆い部２２の幅方向の両側端部は、図１に示されるように対応する凸部３０の側面部よりも凹部３１側に向かって突出した堰止部２２０となっている。この堰止部２２０は覆い部２２の上下に亘って凸部３０の側面部から突出している。このように各凹部３１の軒側端部においては、両側の凸部３０の側面部から当該凸部３０の幅方向外側に向かって面戸２の堰止部２２０が突出している。このため、凹凸屋根材３の凹部３１内を雨水が軒側に向かって流れたとき、凹部３１の軒側端部の両側においては、凹部３１の側面部に沿って軒側に流れる雨水が堰止部２２０によって堰き止められるようになっている。そして、この雨水は堰止部２２０の棟側の面に沿って凹部３１の幅方向中央側に向かって流れ、この後、凹部３１の軒側開口から、面戸２の板状部２０の開口２０１よりも屋外側に突出した突出部２０３上に流出するようになっている。また、この突出部２０３の上には、凸部３０の天面部上から押さえ部２３の上面を経て覆い部２２の屋外側の面に流れた雨水も流れ込むようになっている。また、前記のように面戸２の板状部２０の突出部２０３に至った雨水は水切部２０４上に流れ込むようになっている。そして、この雨水は水切部２０４の屋外側の面を伝って流下し、水切部２０４の下縁から流れ落ちるようになっている。
【００３２】
図３に示されるように軒部１０の屋外側には、軒樋４が軒部１０に沿って設けられている。軒樋４は取付具（不図示）を介して鼻隠し１１に取り付けられている。水切部２０４の下縁、及び水切り５の垂下片部５１の下縁は、建物１外壁に直交する屋内外方向において軒樋４の両側の壁部の間に位置する。このため、各凹凸屋根材３の水切部２０４の下縁や、水切り５の垂下片部５１の下縁から流れ落ちた雨水は軒樋４で受けられるようになっている。また、面戸２の各開口２０１も軒樋４の両側の壁部の間に位置している。このため、仮に通気空間１３に雨水が入って開口２０１から流れ落ちたとしても、この雨水を軒樋４で受けられるようになっている。
【００３３】
図２に示されるように複数の凹凸屋根材３で構成される屋根面上には、機能パネルとしての太陽光発電パネル６が設けられている。太陽光発電パネル６は、シリコンを主材料とした半導体素子により太陽光エネルギーを電気エネルギーに変換して出力するものである。太陽光発電パネル６は複数の凸部３０の上面に跨って載置されている。このように太陽光発電パネル６を凸部３０の上面に載置することで、凸部３０内側の通気空間１３を流れる外気により太陽光発電パネル６を冷却することができる。太陽光発電パネル６は、周囲の雰囲気温度が高い場合や、直射日光が長時間照射された場合等に、発電素子が高温になって発電効率（変換効率）が低下する恐れがある。しかし、本実施形態では太陽光発電パネル６を通気空間１３を流れる外気により冷却することができるので、太陽光発電パネル６の発電効率の低下を抑えることができる。
【００３４】
以上説明したように本実施形態では、凹凸屋根材３の軒側に設けられる面戸２の覆い部２２の側端部が、凹凸屋根材３の凸部３０の側面部から凹部３１側に向けて突出した堰止部２２０となる。このため、凹部３１の側面部に沿って軒側に流れる雨水が、凹部３１の軒側端部において堰止部２２０によって堰き止められ、この後、屋外側に流れるようになる。従って、凹凸屋根材３の凹部３１を流れる雨水が屋外側に飛び出し難くなる。
【００３５】
また、本実施形態では、面戸２の覆い部２２が凹凸屋根材３の隣り合う凸部３０の夫々に対応する位置に設けられ、これら覆い部２２の隣り合う凸部３０の間に位置する凹部３１側の側端部の各々を堰止部２２０としている。これにより、凹部３１の軒側端部における両側に堰止め部２２０を設けることができ、凹凸屋根材３の凹部３１を流れる雨水が屋外側に一層飛び出し難くなる。
【００３６】
また、本実施形態の面戸２の覆い部２２は、凹凸屋根材３の凸部３０よりも幅広であり、覆い部２２の両側端部が凸部３０の対応する側面部から凹部３１側に向けて突出して堰止部２２０となる。このため、覆い部２２を凸部３０よりも幅広にするだけで、覆い部２２両側の凹部３１を流れる雨水が屋外側に大きく飛び出し難くなる。
【００３７】
（第二実施形態）
次に上記とは異なる第二実施形態について説明する。なお、以下の第二実施形態の説明では、第一実施形態と同一の構成については同一の番号を付与し、重複する説明は省略する。
【００３８】
本実施形態の凹凸屋根材３は図６に示されるものであって図５に示されるように施工される。凹凸屋根材３の各凹部３１の底面部における軒側端部は、凸部３０よりも屋外側に延出した延出部３１０となっている。各面戸２の板状部２０において隣り合う覆い部２２の間の部分には、対応する凹凸屋根材３の延出部３１０の棟側部分が載置されている。各延出部３１０の屋外側部分は図５に示されるように対応する面戸２の水切部２０４の上面側から屋外側を経て下面側に折り返され、この折り返し部分に水切部２０４が巻き込まれて凹凸屋根材３の軒側端部は面戸２の板状部２０に固定されている。すなわち、凹凸屋根材３の施工の際には、各延出部３１０を図７に示されるように隣り合う覆い部２２の間に差し込み、この後、各延出部３１０の屋外側部分を折り返して該折り返し部分に水切部２０４を巻き込ませる。
【００３９】
図６に示されるように隣り合う面戸２の板状部２０の端面同士の間には、軒棟方向に亘って継ぎ目１６が形成される。この継ぎ目１６は、図５に示されるように対応する凹凸屋根材３の延出部３１０によって軒棟方向に亘って上側から覆われている。また、継ぎ目１６において水切部２０４に対応する部分は、水切部２０４の下面側に折り返された延出部３１０によって下側からも覆われている。
【００４０】
以上説明したように本実施形態の屋根構造は、軒に沿う方向に複数並べて設けられた面戸２を備え、各面戸２が、野地板１２と凹凸屋根材３の凹部３１の底面部の間に挟まれた板状部２０と、板状部２０に立設された覆い部２２を有している。また、面戸２が軒方向に複数並べて設けられている。また、凹凸屋根材３は凹部３１の底面部を凸部３０よりも屋外側に延出した延出部３１０を有し、延出部３１０によって隣り合う板状部２０の間が上側から覆われている。この構成により、凹凸屋根材３の凹部３１から屋外側に流れた雨水が隣り合う板状部２０の間に形成される継ぎ目１６から軒下に漏れ出し難くなる。
【００４１】
なお、前記各実施形態では面戸２の覆い部２２を台形状に形成し、凹凸屋根材３の凸部３０の両側面部を下方程凸部３０の幅方向外側に位置するように傾斜させている。しかし、覆い部２２を矩形状に形成し、凸部３０の両側面部を凸部３０の天面部に直交するように形成し、このものにおいて覆い部２２の幅を凸部３０の幅よりも大きくして覆い部２２の両側端部を堰止め部２２０としてもよい。また、前記各実施形態では覆い部２１０の幅方向の両側端部を堰止め部２２０としたが、片側端部のみを堰止め部２２０としてもよい。また、前記各実施形態では凹凸屋根材３の凹部３１の両側に位置する覆い部２１０の当該凹部３１側の側端部を堰止め部２２０としたが、凹部３１の片側に位置する覆い部２１０のみを当該凹部３１側に突出する堰止め部２２０としてもよい。また、前記各実施形態では、機能パネルを太陽光発電パネル６で構成したが、その他の機能を有するパネルで構成しても構わない。また、機能パネルは省略可能である。また、本発明は片流れ屋根だけではなく切妻屋根等のその他の形状の屋根にも適用可能である。その他、本発明は上記し且つ図面に示した実施形態にのみ限定されるものではなく、要旨を逸脱しない範囲内で適宜変更して実施し得るものである。
【符号の説明】
【００４２】
２  面戸
３  凹凸屋根材
２０  板状部
２２  覆い部
３０  凸部
３１  凹部
２２０  堰止部
３１０  延出部
【図１】
2014080728.tif 000003
【図２】
2014080728.tif 000004
【図３】
2014080728.tif 000005
【図４】
2014080728.tif 000006
【図５】
2014080728.tif 000007
【図６】
2014080728.tif 000008
【図７】
2014080728.tif 000009